(57)【要約】  穴が１つ以上、筐体に設けられた携帯機器の内側に、防水保護カバー、及び音響部品をそれぞれ配置する。その音響部品は音を放音させるための部品である。音響部品としては、最大音響出力が０．２５Ｗ以上０．８Ｗ以下の音響部品を採用し、防水保護カバーには、音響部品からの音響エネルギーを透過させる音響透過部分として１１４ｍｍ2以上を確保する。
2008041328.tif 000002
【特許請求の範囲】
【請求項１】
穴が１つ以上、設けられた筐体から内側に向けて防水保護カバー、及び音響部品が配置された携帯機器において、
前記音響部品として、最大音響出力が０．２５Ｗ以上０．８Ｗ以下の音響部品を採用し、
前記防水保護カバーに、前記音響部品からの音響エネルギーを透過させる音響透過部分として１１４ｍｍ2以上を確保している、
ことを特徴とする携帯機器。
【請求項２】
穴が１つ以上、設けられた筐体から内側に向けて防水保護カバー、及び音響部品が配置された携帯機器において、
前記音響部品として、最大音響出力が０．２５Ｗ以上の音響部品を採用し、
前記防水保護カバーに、前記音響部品からの音響エネルギーを透過させる音響透過部分を確保し、
前記音響透過部分の中央部と、前記音響部品側で該中央部と最も近い位置に存在する部材との間を０．３５ｍｍ以上０．６ｍｍ以下としている、
ことを特徴とする携帯機器。
【請求項３】
請求項２記載の携帯機器であって、
前記音響透過部分の中央部と、前記筐体側で該中央部と最も近い位置に存在する部材との間の距離を０．３５ｍｍ以上０．６ｍｍ以下としている。
【請求項４】
穴が１つ以上、設けられた筐体から内側に向けて防水保護カバー、及び音響部品が配置された携帯機器において、
前記音響部品として、最大音響出力が０．２５Ｗ以上の音響部品を採用し、
前記防水保護カバーに、前記音響部品からの音響エネルギーを透過させる音響透過部分を確保し、
前記音響透過部分の中央部と、前記筐体側で該中央部と最も近い位置に存在する部材との間の距離を０．３５ｍｍ以上０．６ｍｍ以下としている、
ことを特徴とする携帯機器。
【請求項５】
穴が１つ以上、設けられた筐体から内側に向けて防水保護カバー、及び音響部品が配置された携帯機器において、
前記防水保護カバーに、前記音響部品からの音響エネルギーを透過させる音響透過部分を確保し、
前記音響透過部分の面積ｓは
ｓ＝ａｘ＋ｂ
ここで、ｘ：前記音響部品の最大音響出力
ａ：９９より大きく１１４未満の係数
ｂ：８４より大きく９１未満の定数
の関係を満たしている、
ことを特徴とする携帯機器。
【請求項６】
穴が１つ以上、設けられた筐体から内側に向けて防水保護カバー、及び音響部品が配置された携帯機器において、
前記防水保護カバーに、前記音響部品からの音響エネルギーを透過させる音響透過部分を確保し、
前記音響透過部分の中央部と、前記音響部品側で該中央部と最も近い位置に存在する部材との間の第１の距離、及び該中央部と、該筐体側で該中央部と最も近い位置に存在する部材との間の第２の距離のうちの少なくとも一方の距離ｄは、
ｄ＝ｃｘ＋ｅ
ここで、ｘ：前記音響部品の最大音響出力
ｃ：０．４より大きく０．５未満の係数
ｅ：０．２より大きく０．２５未満の定数
の関係を満たしている、
ことを特徴とする携帯機器。
【請求項７】
請求項６記載の携帯機器であって、
前記第１及び第２の距離は共に前記関係を満たしている。
【請求項８】
請求項５、又は６記載の携帯機器であって、
前記最大音響出力は、０．１Ｗ以上を前提とする。
【請求項９】
請求項１、２、４、５、又は６記載の携帯機器であって、
前記防水保護カバーは、気体透過特性を示すガーレーナンバーが１〜１０秒の防水保護カバーである。
【請求項１０】
穴が１つ以上、筐体に設けられる携帯機器の内部に音響部品を配置するための方法であって、
前記音響部品として、最大音響出力が０．２５Ｗ以上０．８Ｗ以下の音響部品を採用し、
前記音響部品からの音響エネルギーを透過させる音響透過部分として１１４ｍｍ2以上を確保した防水保護カバーを採用し、
前記防水保護カバーの内側に前記音響部品を配置する、
ことを特徴とする音響部品配置方法。
【請求項１１】
穴が１つ以上、筐体に設けられる携帯機器の内部に音響部品を配置するための方法であって、
前記音響部品として、最大音響出力が０．２５Ｗ以上の音響部品を採用し、
前記音響部品からの音響エネルギーを透過させる音響透過部分を確保した防水保護カバーを採用し、
前記音響透過部分の中央部と、前記音響部品側で該中央部と最も近い位置に存在する部材との間の距離を０．３５ｍｍ以上０．６ｍｍ以下とし、
前記防水保護カバーの内側に前記音響部品を配置する、
ことを特徴とする音響部品配置方法。
【請求項１２】
請求項１１記載の音響部品配置方法であって、
前記音響透過部分の中央部と、前記筐体側で該中央部と最も近い位置に存在する部材との間の距離を０．３５ｍｍ以上０．６ｍｍ以下としている。
【請求項１３】
穴が１つ以上、筐体に設けられる携帯機器の内部に音響部品を配置するための方法であって、
前記音響部品として、最大音響出力が０．２５Ｗ以上の音響部品を採用し、
前記音響部品からの音響エネルギーを透過させる音響透過部分を確保した防水保護カバーを採用し、
前記音響透過部分の中央部と、前記筐体側で該中央部と最も近い位置に存在する部材との間の距離を０．３５ｍｍ以上０．６ｍｍ以下とし、
前記防水保護カバーの内側に前記音響部品を配置する、
ことを特徴とする音響部品配置方法。
【請求項１４】
穴が１つ以上、筐体に設けられる携帯機器の内部に音響部品を配置するための方法であって、
前記音響部品からの音響エネルギーを透過させるために確保する音響透過部分の面積ｓが
ｓ＝ａｘ＋ｂ
ここで、ｘ：前記音響部品の最大音響出力
ａ：９９より大きく１１４未満の係数
ｂ：８４より大きく９１未満の定数
の関係を満たす防水保護カバーを採用し、
前記防水保護カバーの内側に前記音響部品を配置する、
ことを特徴とする音響部品配置方法。
【請求項１５】
穴が１つ以上、筐体に設けられる携帯機器の内部に音響部品を配置するための方法であって、
前記音響部品からの音響エネルギーを透過させる音響透過部分を確保した防水保護カバーを採用し、
前記音響透過部分の中央部と、前記音響部品側で該中央部と最も近い位置に存在する部材との間の距離ｄは、
ｄ＝ｃｘ＋ｅ
ここで、ｘ：前記音響部品の最大音響出力
ｃ：０．４より大きく０．５未満の係数
ｅ：０．２より大きく０．２５未満の定数
の関係を満たし、
前記関係を満たす前記防水保護カバーの内側に前記音響部品を配置する、
ことを特徴とする音響部品配置方法。
【請求項１６】
請求項１５記載の音響部品配置方法であって、
前記音響透過部分の中央部と、前記筐体側で該中央部と最も近い位置に存在する部材との間の距離が更に前記関係を満たしている。
【請求項１７】
請求項１０〜１６のうちの何れか１項に記載の音響部品配置方法であって、
前記最大音響出力は、０．１Ｗ以上を前提とする。
【請求項１８】
請求項１０〜１６のうちの何れか１項に記載の音響部品配置方法であって、
前記防水保護カバーは、気体透過特性を示すガーレーナンバーが１〜１０秒の防水保護カバーである。
【請求項１９】
穴が１つ以上、筐体に設けられる携帯機器の内部に搭載される音響部品アセンブリであって、
音響部品として、最大音響出力が０．２５Ｗ以上０．８Ｗ以下の音響部品を採用し、
前記音響部品からの音響エネルギーを透過させる音響透過部分として１１４ｍｍ2以上を確保した防水保護カバーを取り付けるための取付用部材を少なくとも前記音響部品に設けている、
ことを特徴とする音響部品アセンブリ。
【請求項２０】
穴が１つ以上、筐体に設けられる携帯機器の内部に搭載される音響部品アセンブリであって、
音響部品として、最大音響出力が０．２５Ｗ以上の音響部品を採用し、
前記音響部品からの音響エネルギーを透過させる音響透過部分を確保した防水保護カバーを取り付けた場合に、前記音響透過部分の中央部と、前記音響部品側で該中央部と最も近い位置に存在する部材との間の距離を０．３５ｍｍ以上０．６ｍｍ以下とする取付用部材を少なくとも前記音響部品に設けている、
ことを特徴とする音響部品アセンブリ。
【請求項２１】
穴が１つ以上、筐体に設けられる携帯機器の内部に搭載される音響部品アセンブリであって、
音響部品として、最大音響出力が０．２５Ｗ以上の音響部品を採用し、
前記音響部品からの音響エネルギーを透過させる音響透過部分を確保した防水保護カバーを採用し、
前記音響部品からの音響エネルギーを透過させる音響透過部分を確保した防水保護カバーを取り付けた場合に、前記音響透過部分の中央部と、前記筐体側で該中央部と最も近い位置に存在する部材との間の距離を０．３５ｍｍ以上０．６ｍｍ以下とする取付用部材を少なくとも前記音響部品に設けている、
ことを特徴とする音響部品アセンブリ。
【請求項２２】
穴が１つ以上、筐体に設けられる携帯機器の内部に搭載される音響部品アセンブリであって、
音響部品からの音響エネルギーを透過させるために確保する音響透過部分の面積ｓが
ｓ＝ａｘ＋ｂ
ここで、ｘ：前記音響部品の最大音響出力
ａ：９９より大きく１１４未満の係数
ｂ：８４より大きく９１未満の定数
の関係を満たす防水保護カバーを取り付けるための取付用部材を少なくとも前記音響部品に設けている、
ことを特徴とする音響部品アセンブリ。
【請求項２３】
穴が１つ以上、筐体に設けられる携帯機器の内部に搭載される音響部品アセンブリであって、
音響部品からの音響エネルギーを透過させるために確保される音響透過部分の中央部と、前記音響部品側で該中央部と最も近い位置に存在する部材との間の距離ｄに、
ｄ＝ｃｘ＋ｅ
ここで、ｘ：前記音響部品の最大音響出力
ｃ：０．４より大きく０．５未満の係数
ｅ：０．２より大きく０．２５未満の定数
の関係を満たす防水保護カバーを取り付けるための取付用部材を少なくとも前記音響部品に設けている、
ことを特徴とする音響部品アセンブリ。
【請求項２４】
請求項２２、または２３記載の音響部品アセンブリであって、
前記最大音響出力は、０．１Ｗ以上を前提とする。
【請求項２５】
請求項１９〜２３のうちの何れか１項に記載の音響部品アセンブリであって、
前記防水保護カバーは、気体透過特性を示すガーレーナンバーが１〜１０秒の防水保護カバーである。
【発明の詳細な説明】
【技術分野】
【０００１】
本発明は、穴が１つ以上、設けられた携帯機器の筐体内に音響部品を搭載する技術に関する。
【背景技術】
【０００２】
携帯電話機、及び録画再生可能なデジタルカメラ等の携帯機器では、音を放音するための音響部品を搭載し、その音響部品から放音された音を外部に伝達させるために筐体に１つ以上の穴が設けられている。そのような携帯機器は、水や埃に弱い。このことから、特許文献１に記載されているように、従来の携帯機器のなかには、穴の内側に防水保護カバーを配置し、その防水保護カバーの内側に音響部品を配置したものがある。【０００３】
図１３は、従来の携帯機器に採用された音響部品の配置方法を説明する図である。図１３において、１３０１は筐体、１３０２は筐体１３０１に設けられた穴、１３０３は音響部品であるスピーカ、１３０４はパッキン、１３０５は防水保護カバー、１３０６は防水保護カバー１３０５をパッキン１３０５に取り付ける両面テープ、１３０７は防止保護カバー１３０５を筐体１３０１に取り付ける両面テープ、１３０８はスピーカ１３０３が発生させた音響エネルギーのベクトルである。特許文献１に記載の従来の携帯機器では、気体を透過する気体透過特性を有する防水保護カバーが採用されている。【０００４】
音響エネルギーのベクトル１３０８は、音響エネルギーを発生させたスピーカ１３０３近傍では煩雑となる。防水保護カバー１３０５には音響伝送損失を抑えるために非常に薄いものが採用される。このため図１４に示すように、ベクトル１３０８の煩雑さは、保護カバー１３０５上で新たな振動を発生させやすく、その振動が発生すると高調波ひずみ成分の音が放音される。それにより、望ましい音響特性を実現させるために、高調波ひずみ成分を低減させる対策が必須となっている。【０００５】
そのようなひずみ対策としては一般に、音響部品の音響出力を小さくする、音響エネルギーのベクトルの煩雑さの影響を抑えるために、保護カバーとスピーカ間の距離を大きくする、といった方法が採用される。保護カバーを透過した音は筐体によって一部、反射されることもあり、保護カバーと筐体間の距離も併せて大きくするのが普通である。図１３中、ｄ３は保護カバー１３０５と筐体１３０１間の距離を示し、ｄ４は保護カバー１３０５とスピーカ１３０３（の振動板）間の距離を示している。【０００６】
携帯機器に限らず、内容をユーザが明確に把握できる音量で音を放音させる必要がある。このため、音響出力を小さくするには限界がある。それにより従来は、距離ｄ３、及びｄ４を大きくする方法を採用していた。しかし、距離ｄ３、及びｄ４を大きくすると、当然のことながら小型・薄型化は困難となる。このようなことから携帯機器では、望ましい音響特性を実現しつつ、音響部品をよりコンパクトに配置できるようにすることが強く要求されていた。
【特許文献１】特開平７−１３１３７５号公報
【特許文献２】特表２００３−５０３９９１号公報
【特許文献３】特開２００４−１８００７３号公報
【発明の開示】
【０００７】
本発明は、望ましい音響特性を実現しつつ、音響部品をよりコンパクトに携帯機器に配置するための技術を提供することを目的とする。
本発明の第１〜第５の態様の携帯機器は共に、穴が１つ以上、設けられた筐体から内側に向けて防水保護カバー、及び音響部品が配置されていることを前提とし、それぞれ以下の構成が採用されている。
【０００８】
第１の態様の携帯機器は、音響部品として、最大音響出力が０．２５Ｗ以上０．８Ｗ以下の音響部品を採用し、防水保護カバーに、音響部品からの音響エネルギーを透過させる音響透過部分として１１４ｍｍ2以上を確保している。
【０００９】
第２の態様の携帯機器は、音響部品として、最大音響出力が０．２５Ｗ以上の音響部品を採用し、防水保護カバーに、音響部品からの音響エネルギーを透過させる音響透過部分を確保し、音響透過部分の中央部と、音響部品側で該中央部と最も近い位置に存在する部材との間を０．３５ｍｍ以上０．６ｍｍ以下としている。
【００１０】
なお、上記第２の態様では、音響透過部分の中央部と、筐体側で該中央部と最も近い位置に存在する部材との間の距離を０．３５ｍｍ以上０．６ｍｍ以下としている、ことが望ましい。
【００１１】
第３の態様の携帯機器は、音響部品として、最大音響出力が０．２５Ｗ以上の音響部品を採用し、防水保護カバーに、音響部品からの音響エネルギーを透過させる音響透過部分を確保し、音響透過部分の中央部と、筐体側で該中央部と最も近い位置に存在する部材との間の距離を０．３５ｍｍ以上０．６ｍｍ以下としている。
【００１２】
第４の態様の携帯機器は、防水保護カバーに、音響部品からの音響エネルギーを透過させる音響透過部分を確保し、音響透過部分の面積ｓは
ｓ＝ａｘ＋ｂ
ここで、ｘ：音響部品の最大音響出力
ａ：９９より大きく１１４未満の係数
ｂ：８４より大きく９１未満の定数
の関係を満たしている。
【００１３】
第５の態様の携帯機器は、防水保護カバーに、音響部品からの音響エネルギーを透過させる音響透過部分を確保し、音響透過部分の中央部と、音響部品側で該中央部と最も近い位置に存在する部材との間の第１の距離、及び該中央部と、該筐体側で該中央部と最も近い位置に存在する部材との間の第２の距離のうちの少なくとも一方の距離ｄは、
ｄ＝ｃｘ＋ｅ
ここで、ｘ：音響部品の最大音響出力
ｃ：０．４より大きく０．５未満の係数
ｅ：０．２より大きく０．２５未満の定数
の関係を満たしている。
【００１４】
なお、上記第５の態様では、第１及び第２の距離は共に関係を満たしている、ことが望ましい。また、第１〜第５の少なくとも何れかの態様では、最大音響出力は、０．１Ｗ以上を前提とする、ことが望ましい。また、防水保護カバーは、気体透過特性を示すガーレーナンバーが１〜１０秒の防水保護カバーである、ことが望ましい。
【００１５】
本発明の第１〜第５の態様の音響部品配置方法は共に、穴が１つ以上、筐体に設けられる携帯機器の内部に音響部品を配置するための方法であって、それぞれ以下のように配置を行う。
【００１６】
第１の音響部品配置方法では、音響部品として、最大音響出力が０．２５Ｗ以上０．８Ｗ以下の音響部品を採用し、音響部品からの音響エネルギーを透過させる音響透過部分として１１４ｍｍ2以上の面積を確保した防水保護カバーを採用し、防水保護カバーの内側に音響部品を配置する。
【００１７】
第２の態様の音響部品配置方法では、音響部品として、最大音響出力が０．２５Ｗ以上の音響部品を採用し、音響部品からの音響エネルギーを透過させる音響透過部分を確保した防水保護カバーを採用し、音響透過部分の中央部と、音響部品側で該中央部と最も近い位置に存在する部材との間の距離を０．３５ｍｍ以上０．６ｍｍ以下とし、防水保護カバーの内側に音響部品を配置する。
【００１８】
第３の態様の音響部品配置方法では、音響部品として、最大音響出力が０．２５Ｗ以上の音響部品を採用し、音響部品からの音響エネルギーを透過させる音響透過部分を確保した防水保護カバーを採用し、音響透過部分の中央部と、筐体側で該中央部と最も近い位置に存在する部材との間の距離を０．３５ｍｍ以上０．６ｍｍ以下とし、防水保護カバーの内側に音響部品を配置する。
【００１９】
第４の態様の音響部品配置方法では、音響部品からの音響エネルギーを透過させるために確保する音響透過部分の面積ｓが
ｓ＝ａｘ＋ｂ
ここで、ｘ：音響部品の最大音響出力
ａ：９９より大きく１１４未満の係数
ｂ：８４より大きく９１未満の定数
の関係を満たす防水保護カバーを採用し、防水保護カバーの内側に音響部品を配置する。
【００２０】
第５の態様の音響部品配置方法では、音響部品からの音響エネルギーを透過させる音響透過部分を確保した防水保護カバーを採用し、音響透過部分の中央部と、音響部品側で該中央部と最も近い位置に存在する部材との間の距離ｄは、
ｄ＝ｃｘ＋ｅ
ここで、ｘ：音響部品の最大音響出力
ｃ：０．４より大きく０．５未満の係数
ｅ：０．２より大きく０．２５未満の定数
の関係を満たし、その関係を満たす防水保護カバーの内側に音響部品を配置する。
【００２１】
本発明の第１〜第５の態様の音響部品アセンブリは共に、穴が１つ以上、筐体に設けられる携帯機器の内部に搭載されることを前提とし、それぞれ以下のような構成が採用されている。
【００２２】
第１の態様の音響部品アセンブリは、音響部品として、最大音響出力が０．２５Ｗ以上０．８Ｗ以下の音響部品を採用し、音響部品からの音響エネルギーを透過させる音響透過部分として１１４ｍｍ2以上を確保した防水保護カバーを取り付けるための取付用部材を少なくとも音響部品に設けている。
【００２３】
第２の態様の音響部品アセンブリは、音響部品として、最大音響出力が０．２５Ｗ以上の音響部品を採用し、音響部品からの音響エネルギーを透過させる音響透過部分を確保した防水保護カバーを取り付けた場合に、音響透過部分の中央部と、音響部品側で該中央部と最も近い位置に存在する部材との間の距離を０．３５ｍｍ以上０．６ｍｍ以下とする取付用部材を少なくとも音響部品に設けている。
【００２４】
第３の態様の音響部品アセンブリは、音響部品として、最大音響出力が０．２５Ｗ以上の音響部品を採用し、音響部品からの音響エネルギーを透過させる音響透過部分を確保した防水保護カバーを採用し、音響部品からの音響エネルギーを透過させる音響透過部分を確保した防水保護カバーを取り付けた場合に、音響透過部分の中央部と、筐体側で該中央部と最も近い位置に存在する部材との間の距離を０．３５ｍｍ以上０．６ｍｍ以下とする取付用部材を少なくとも音響部品に設けている。
【００２５】
第４の態様の音響部品アセンブリは、音響部品からの音響エネルギーを透過させるために確保する音響透過部分の面積ｓが
ｓ＝ａｘ＋ｂ
ここで、ｘ：音響部品の最大音響出力
ａ：９９より大きく１１４未満の係数
ｂ：８４より大きく９１未満の定数
の関係を満たす防水保護カバーを取り付けるための取付用部材を少なくとも音響部品に設けている。
【００２６】
第５の態様の音響部品アセンブリは、音響部品からの音響エネルギーを透過させるために確保される音響透過部分の中央部と、音響部品側で該中央部と最も近い位置に存在する部材との間の距離ｄに、
ｄ＝ｃｘ＋ｅ
ここで、ｘ：音響部品の最大音響出力
ｃ：０．４より大きく０．５未満の係数
ｅ：０．２より大きく０．２５未満の定数
の関係を満たす防水保護カバーを取り付けるための取付用部材を少なくとも音響部品に設けている。
【００２７】
本発明では、音響部品を覆う防水保護カバーで音響エネルギーを透過させる音響透過部分の面積と、音響部品による最大音響出力との間で望ましい音響特性が得られる関係を基に、音響透過部分の面積を制限する。そのように制限するため、望ましい音響特性は確実に得ることができる。また、従来と比較して、不要に大きい面積を確保しなくとも済むことから、よりコンパクトな部品を採用できるようになり、それによって小型・薄型化もより容易に実現できるようになる。
【００２８】
本発明では、音響透過部分の中央部と、音響部品側で該中央部と最も近い位置に存在する部材との間の距離（第１の距離）、及びその中央部と、筐体側で該中央部と最も近い位置に存在する部材との間の第２の距離のうちの少なくとも一方の距離を、音響部品の最大音響出力を考慮して特定される、望ましい音響特性が得られる関係を基に制限する。そのように制限するため、望ましい音響特性を得られるようになる。両方の距離を共に制限した場合には、望ましい音響特性は確実に得ることができる。また、従来と比較して、不要に大きい距離を確保しなくとも済むことから、小型・薄型化もより容易に実現できるようになる。
【図面の簡単な説明】
【００２９】
【図１】本実施の形態による音響部品配置方法を説明する図である。
【図２】防水保護カバーを透過する音響エネルギーを説明する図である。
【図３】音響出力に対し、望ましい音響特性を維持可能な音響透過部分の面積、並びに距離ｄ１、及びｄ２の大きさを確認する実験の結果を示すグラフである。
【図４】最大音響出力別に、最低必要面積ｓ、最低必要距離ｄ、及びサンプル着信音色による距離１０ｃｍでの音量を示す図である。
【図５】音響透過部分の面積として１５４ｍｍ2を確保し、０．４Ｗの音響出力で４００Ｈｚの音をスピーカから放音させた場合に、距離１０ｃｍでの音響特性を示すグラフである。
【図６】音響透過部分の面積として１１４ｍｍ2を確保し、０．４Ｗの音響出力で４００Ｈｚの音をスピーカから放音させた場合に、距離１０ｃｍでの音響特性を示すグラフである。
【図７】本実施の形態による携帯機器の外観を示す図である。
【図８】可動部８０で固定部７１と対向するフロント部８０の内側を示す外観図である。
【図９】フロント部８０の断面図である。
【図１０】本実施の形態による音響部品アセンブリの分解図である。
【図１１】防水保護カバーの音響透過領域を示す図である。
【図１２】本実施の形態による音響部品アセンブリの断面図である。
【図１３】従来の携帯機器に採用された音響部品の配置方法を説明する図である。
【図１４】音響エネルギーのベクトルの煩雑さによって防水保護カバー上に発生する振動を説明する図である。
【発明を実施するための最良の形態】
【００３０】
以下、本発明の実施の形態について、図面を参照しながら詳細に説明する。
図１は、本実施の形態による音響部品配置方法を説明する図である。図１において、１１は筐体、１２は筐体１１に設けられた穴、１３は音響部品であるスピーカ、１４はパッキン、１５は防水保護カバー（以下「保護カバー」と略記）、１６は保護カバー１５をパッキン１５に取り付ける両面テープ、１７は保護カバー１５を筐体１１に取り付ける両面テープである。それら両面テープ１５及び１６は共に、例えばＰＥＴ（Polyethylene Terephthalate）を使用したものである。パッキン１４は、スピーカ１３と例えば接着剤により取り付けられている。【００３１】
図中のｄ１、及びｄ２はそれぞれ、保護カバー１５と筐体１１間、及び保護カバー１５とスピーカ１３間の距離を示している。その端が固定されているために、保護カバー１５の振動振幅は普通、その中心に近づく程、大きくなる。このことから距離ｄ１は、保護カバー１５が固定されていない部分の中央部と、筐体１１側で最も近い位置に存在する部材との間の距離としている。同様に距離ｄ２はその中央部と、スピーカ１３側で最も近い位置に存在する部材との間の距離としている。それにより、保護カバー１５と筐体１１間に別の部材（例えば防塵カバー）が配置されていれば、距離ｄ１はその部材と保護カバー１５間の距離となる。同様に保護カバー１５とスピーカ１３間に別の部材が配置されていれば、距離ｄ２はその部材と保護カバー１５間の距離となる。【００３２】
距離ｄ２はスピーカ１３の種類によっても変化する。図１に示すような種類のスピーカ１３では、距離ｄ２は保護カバー１５とスピーカ１３の振動板間となっている。しかし、振動板の上（音響エネルギーが放出される側）に保護カバー（以降、保護カバー１５との混同をさけるために「スピーカカバー」と呼ぶ）が設けられている種類（図１２）では、保護カバー１５そのそのスピーカカバー間が距離ｄ２となる。【００３３】
上述したようなことから、上記中央部は、保護カバー１５周辺に配置されている部材を考慮して決定する必要がある。通常は、中心から音響透過部分の端までの中点を境界とした内側を想定すれば十分である。【００３４】
本実施の形態では、保護カバー１５として、特許文献２に記載されている、気体透過特性を併せて有するものを採用している。その気体透過特性の一般な評価法としてはＪＩＳ  Ｐ  ８１１７がある。そのＪＩＳ  Ｐ  ８１１７では、６４２ｍｍ2の面積の試料を１００ｍｌの空気が通過するまでの時間を通気抵抗度（ガーレー）と呼ぶ。その保護カバー１５の気体透過特性は、ガーレーナンバーが１〜１０ガーレー秒（１００ｍｌの空気の透過に要する時間が１〜１０秒の間）である。その保護カバー１５による音響伝送損失は、一般的な携帯電話などの音響伝送周波数範囲である３００〜３０００Ｈｚの範囲において、３ｄＢ以下の非常に小さいものである。【００３５】
このような気体透過特性を有する保護カバー１５で非常に小さい音響伝送損失が実現できるのは、図２に示すように、気体の透過によって保護カバー１５外に直接、伝達される音響エネルギーのベクトル２１が少なくないためである。図２中の２２は、保護カバー１５を直接、透過して筐体１１側に伝達された音響エネルギーのベクトルを示している。【００３６】
保護カバー１５を直接、透過する音響エネルギーの割合が大きくなる程、間接的に透過する音響エネルギーの量、つまり保護カバー１５の振動に用いられる音響エネルギーの量は小さくなる。保護カバー１５の振動に用いられる単位面積当たりの音響エネルギー量は、スピーカ１３からの音響エネルギーを伝達させる音響透過部分（スピーカ１３に対向している部分のなかで空気に接触している部分に相当。図１１参照）の面積が大きくなる程、小さくなる。一方、音響エネルギーのベクトルの煩雑さはスピーカ１３から離れる程、小さくなる。音響エネルギー自体は、音響出力に依存する。このようなことから、音響出力（ここでは最大音響出力。単位はＷ）に対し、望ましい音響特性を維持可能な音響透過部分の面積、並びに距離ｄ１、及びｄ２の大きさの実験による確認を行った。図３は、その実験結果を示すグラフである。線Ａは最大音響出力に対して望ましい音響特性を維持するために最小限、必要な距離ｄ１、及びｄ２の関係を示し、線Ａは最大音響出力に対して望ましい音響特性を維持するために最小限、必要な音響透過部分の面積の関係を示している。図３に示す実験結果は、φ１６＊３．６５ｍｍの大きさのスピーカ１３を使用して実験を行ったものである。【００３７】
図３に示すように、最大音響出力が大きい程、距離ｄ１、ｄ２の必要最小限の距離（以降「最低必要距離」と呼ぶ）は大きくなり、同様に音響透過部分として必要な最小の面積（以降「最低必要面積」と呼ぶ）も大きくなる。最大音響出力をｘ、最低必要面積はｓと表現すると、最大音響出力と最低必要面積Ｓの関係は以下の式により近似される。【００３８】
ｓ＝ａｘ＋ｂ    ・・・（１）
ここで、ａ：９９より大きく１１４未満の係数、ｂ：８４より大きく９１未満の定数、である。【００３９】
一方、距離ｄ１及びｄ２の最低必要距離をｄと表現すると、最大音響出力と最低必要距離ｄの関係は以下の式により近似される。
ｄ＝ｃｘ＋ｅ    ・・・（２）
ここで、ｃ：０．４より大きく０．５未満の係数、ｅ：０．２より大きく０．２５未満の定数、である。【００４０】
上記（１）及び（２）式にそれぞれ示す関係は、最大音響出力が０．１Ｗ付近まで維持されることが確認できている。このことから、最大音響出力が０．１Ｗから０．８Ｗまでの範囲内において、音響透過部分の面積Ｓはａｘ＋ｂで求まる最低必要面積ｓ以上とするか、或いは距離ｄ１及びｄ２はｃｘ＋ｅで求まる最低必要距離ｄ以上とすることにより、望ましい音響特性を得ることができる。【００４１】
図４は、最大音響出力別に、最低必要面積ｓ、最低必要距離ｄ、及びサンプル着信音色による距離１０ｃｍでの音量を示す図である。その１０ｃｍの距離は筐体１１からの距離に相当する。その図４から、実用上、十分な音量が得られることが分かる。【００４２】
従来は、望ましい音響特性を維持させるために、距離ｄ３及びｄ４として２〜５ｍｍほど確保していた。しかし、図３、及び図４に示すように、距離ｄ１及びｄ２は０．３５ｍｍ以上０．６ｍｍ以下としても望ましい音響特性を維持させることができる。このことから、小型・薄型化をより容易に行えるようになる。また、必要な最大音響出力に応じて、最小のスピーカ１３（音響部品）を採用できるため、同様に小型化・薄型化をより容易に行えるようになる。【００４３】
図５は、音響透過部分の面積として１５４ｍｍ2を確保し、０．４Ｗの音響出力で４００Ｈｚの音をスピーカから放音させた場合に、距離１０ｃｍでの音響特性を示すグラフである。横軸は周波数、縦軸は音厚レベル（ＳＰＬ）をそれぞれ表している。【００４４】
このときには、音響透過部分の面積は最低必要面積以上となっている。このため、図５に示すように、望ましい音響特性が得られている。
図６は、音響透過部分の面積として１１４ｍｍ2を確保し、０．４Ｗの音響出力で４００Ｈｚの音をスピーカから放音させた場合に、距離１０ｃｍでの音響特性を示すグラフである。図５と同様に横軸は周波数、縦軸は音厚レベル（ＳＰＬ）をそれぞれ表している。【００４５】
このときには、音響透過部分の面積は最低必要面積未満となっている。このため、保護カバー１５上に高周波ひずみ成分となる振動が発生し、図６に示すように、高周波数域で広い範囲にわたり大きな音が放音されている。本実施の形態では、そのような高周波ひずみ成分の発生を回避する、或いは実用上、問題のないレベルに抑えることができる。【００４６】
上述したように、音響透過部分の最低必要面積、並びに距離ｄ１及びｄ２の最低必要距離は最大音響出力に依存して変化する。その依存関係を満たす携帯機器を製造するために、スピーカ１３（音響部品）にパッキン１４を取り付けたもの、或いは更に保護カバー１５を取り付けたものを音響アセンブリとして用意しても良い。パッキン１４に採用する材料としては、ゴム材、スポンジ材、或いはゲル状ゴム材等が考えられる。それらには以下のような特徴がある。【００４７】
ゴム材は、比較的重量があるため遮音特性に優れる。しかし、位置決め精度などの問題から傾いて隙間ができるなどの不具合が発生しやすい。スポンジ材としては独立気泡のものが望ましい。そのようなスポンジ材、及びゲル状ゴム材は柔らかいが、特に問題なく使用できる。しかし軽量であるため、音響シール能力（遮音特性）ではゴム材に若干劣る。厚さが１ｍｍ以下となり、遮音の影響が少ないため、それらのなかではスポンジ材料は比較的に使用しやすい。【００４８】
以降は、本実施の形態による音響部品配置方法を採用した携帯機器、つまり本実施の形態による携帯機器について図７〜図１２を参照して詳細に説明する。
図７は、本実施の形態による携帯機器の外観を示す図である。その携帯機器７０は、携帯電話機であり、ユーザが操作するスイッチが複数、設けられた固定部７１、及び表示装置が配置され、固定部７１に対する位置関係を変更可能な可動部７２を備えている。可動部７２の上方には、着信音等の放音用の複数の穴７３、及び通話している相手の声の放音用の穴７４が設けられている。【００４９】
図８は、上記可動部８０で固定部７１と対向するフロント部８０の内側を示す外観図である。図８に示すように、筐体８１に設けられた複数の穴７３の内側にはスピーカ８２が取り付けられ、穴７４の内側にもスピーカ８３が取り付けられている。図１のスピーカ１３は、スピーカ８２に相当する。このことから以降、便宜的にスピーカ８３は「レシーバ」と呼ぶことにする。【００５０】
図９は、上記フロント部８０の断面図である。その断面図は、図７に示すＸ−Ｘ線でフロント部８０を切断した場合のものである。図９に示すように、筐体８１の外側表面には化粧シールが貼り付けられ、穴７３、７４の内側にはそれぞれ防水保護カバー９２、９３が配置されている。【００５１】
スピーカ８２は、不図示の振動板の上部にスピーカカバー８２ａが設けられている種類である。このため、距離ｄ２は、保護カバー９２とスピーカカバー８２ａ間のものとなっている。距離ｄ１は、保護カバー９２と筐体８１間のものとなっている。【００５２】
図９、及び図１０に示すように、スピーカ８２にはパッキン９５が例えば接着剤により取り付けられ、そのパッキン９５に保護カバー９２が両面テープ１０１で取り付けられる。保護カバー９２、パッキン９５、及びスピーカ８２を備えた音響部品アセンブリ（図１２）は、保護カバー９２と筐体８１を両面テープ９６で貼り付けることで取り付けられる。その音響アセンブリは、上述したように、スピーカ８２とパッキン９５を備えたものであっても良い。保護カバー９２は両面テープ１０１（及び９６）によって取り付けられる（固定される）ことから、図１１に示すように、両面テープ１０１の内側が音響透過部分の面積Ｓとなる。【００５３】
その音響アセンブリが取り付けられる箇所、つまり複数の穴７３が設けられた部分の筐体の内側は、図９に示すように、外側に向けた窪んだ凹部８１ａとしている。これは、別のパッキン等を用意することなく、距離ｄ１を最低必要距離以上の大きさとするためである。その最低必要距離が小さくて済むため（図３、及び図４）、そのような凹部８１ａを設けることで対応できるようになる。部品点数、及び組み立て工数もより抑えられることから、製造コストの低減にも有効である。【００５４】
なお、上記本実施の形態では、距離ｄ１、及びｄ２を最低必要距離以上としているが、その代わりに音響透過部分の面積Ｓを最低必要面積以上としても良い。その両方を満たすようにしても良い。携帯機器としては、携帯電話機ではなく、音声再生機能を有するデジタルカメラ、ラジオ、或いはプレーヤなどであっても良い。つまり、小型・軽量化が望まれる携帯機器であれば、本発明は幅広く適用することができる。
【図１】
2008041328.tif 000003
【図２】
2008041328.tif 000004
【図３】
2008041328.tif 000005
【図４】
2008041328.tif 000006
【図５】
2008041328.tif 000007
【図６】
2008041328.tif 000008
【図７】
2008041328.tif 000009
【図８】
2008041328.tif 000010
【図９】
2008041328.tif 000011
【図１０】
2008041328.tif 000012
【図１１】
2008041328.tif 000013
【図１２】
2008041328.tif 000014
【図１３】
2008041328.tif 000015
【図１４】
2008041328.tif 000016
【手続補正書】
【提出日】平成20年12月17日(2008.12.17)
【手続補正１】
【補正対象書類名】特許請求の範囲
【補正対象項目名】全文
【補正方法】変更
【補正の内容】
【特許請求の範囲】
【請求項１】
穴が１つ以上、設けられた筐体から内側に向けて防水保護カバー、及び音響部品が配置された携帯機器において、
前記音響部品として、最大音響出力が０．２５Ｗ以上０．８Ｗ以下の音響部品を採用し、
前記防水保護カバーに、前記音響部品からの音響エネルギーを透過させる音響透過部分として１１４ｍｍ2以上を確保している、
ことを特徴とする携帯機器。
【請求項２】
穴が１つ以上、設けられた筐体から内側に向けて防水保護カバー、及び音響部品が配置された携帯機器において、
前記音響部品として、最大音響出力が０．２５Ｗ以上の音響部品を採用し、
前記防水保護カバーに、前記音響部品からの音響エネルギーを透過させる音響透過部分を確保し、
前記音響透過部分の中央部と、前記音響部品側で該中央部と最も近い位置に存在する部材との間を０．３５ｍｍ以上０．６ｍｍ以下としている、
ことを特徴とする携帯機器。
【請求項３】
穴が１つ以上、設けられた筐体から内側に向けて防水保護カバー、及び音響部品が配置された携帯機器において、
前記音響部品として、最大音響出力が０．２５Ｗ以上の音響部品を採用し、
前記防水保護カバーに、前記音響部品からの音響エネルギーを透過させる音響透過部分を確保し、
前記音響透過部分の中央部と、前記筐体側で該中央部と最も近い位置に存在する部材との間の距離を０．３５ｍｍ以上０．６ｍｍ以下としている、
ことを特徴とする携帯機器。
【請求項４】
穴が１つ以上、設けられた筐体から内側に向けて防水保護カバー、及び音響部品が配置された携帯機器において、
前記防水保護カバーに、前記音響部品からの音響エネルギーを透過させる音響透過部分を確保し、
前記音響透過部分の面積ｓは
ｓ＝ａｘ＋ｂ
ここで、ｘ：前記音響部品の最大音響出力
ａ：９９より大きく１１４未満の係数
ｂ：８４より大きく９１未満の定数
の関係を満たしている、
ことを特徴とする携帯機器。
【請求項５】
穴が１つ以上、設けられた筐体から内側に向けて防水保護カバー、及び音響部品が配置された携帯機器において、
前記防水保護カバーに、前記音響部品からの音響エネルギーを透過させる音響透過部分を確保し、
前記音響透過部分の中央部と、前記音響部品側で該中央部と最も近い位置に存在する部材との間の第１の距離、及び該中央部と、該筐体側で該中央部と最も近い位置に存在する部材との間の第２の距離のうちの少なくとも一方の距離ｄは、
ｄ＝ｃｘ＋ｅ
ここで、ｘ：前記音響部品の最大音響出力
ｃ：０．４より大きく０．５未満の係数
ｅ：０．２より大きく０．２５未満の定数
の関係を満たしている、
ことを特徴とする携帯機器。
【請求項６】
請求項１〜５の何れか１項に記載の携帯機器であって、
前記防水保護カバーは、気体透過特性を示すガーレーナンバーが１〜１０秒の防水保護カバーである。
【請求項７】
穴が１つ以上、筐体に設けられる携帯機器の内部に音響部品を配置するための方法であって、
前記音響部品として、最大音響出力が０．２５Ｗ以上０．８Ｗ以下の音響部品を採用し、
前記音響部品からの音響エネルギーを透過させる音響透過部分として１１４ｍｍ2以上を確保した防水保護カバーを採用し、
前記防水保護カバーの内側に前記音響部品を配置する、
ことを特徴とする音響部品配置方法。
【請求項８】
穴が１つ以上、筐体に設けられる携帯機器の内部に音響部品を配置するための方法であって、
前記音響部品として、最大音響出力が０．２５Ｗ以上の音響部品を採用し、
前記音響部品からの音響エネルギーを透過させる音響透過部分を確保した防水保護カバーを採用し、
前記音響透過部分の中央部と、前記音響部品側で該中央部と最も近い位置に存在する部材との間の距離を０．３５ｍｍ以上０．６ｍｍ以下とし、
前記防水保護カバーの内側に前記音響部品を配置する、
ことを特徴とする音響部品配置方法。
【請求項９】
穴が１つ以上、筐体に設けられる携帯機器の内部に搭載される音響部品アセンブリであって、
音響部品として、最大音響出力が０．２５Ｗ以上０．８Ｗ以下の音響部品を採用し、
前記音響部品からの音響エネルギーを透過させる音響透過部分として１１４ｍｍ2以上を確保した防水保護カバーを取り付けるための取付用部材を少なくとも前記音響部品に設けている、
ことを特徴とする音響部品アセンブリ。
【請求項１０】
穴が１つ以上、筐体に設けられる携帯機器の内部に搭載される音響部品アセンブリであって、
音響部品として、最大音響出力が０．２５Ｗ以上の音響部品を採用し、
前記音響部品からの音響エネルギーを透過させる音響透過部分を確保した防水保護カバーを取り付けた場合に、前記音響透過部分の中央部と、前記音響部品側で該中央部と最も近い位置に存在する部材との間の距離を０．３５ｍｍ以上０．６ｍｍ以下とする取付用部材を少なくとも前記音響部品に設けている、
ことを特徴とする音響部品アセンブリ。
【手続補正２】
【補正対象書類名】明細書
【補正対象項目名】００１４
【補正方法】変更
【補正の内容】
【００１４】
本発明の第１及び第２の態様の音響部品配置方法は共に、穴が１つ以上、筐体に設けられる携帯機器の内部に音響部品を配置するための方法であって、それぞれ以下のように配置を行う。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】変更
【補正の内容】
【００２１】
本発明の第１及び第２の態様の音響部品アセンブリは共に、穴が１つ以上、筐体に設けられる携帯機器の内部に搭載されることを前提とし、それぞれ以下のような構成が採用されている。
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００３２
【補正方法】変更
【補正の内容】
【００３２】
距離ｄ２はスピーカ１３の種類によっても変化する。図１に示すような種類のスピーカ１３では、距離ｄ２は保護カバー１５とスピーカ１３の振動板間となっている。しかし、振動板の上（音響エネルギーが放出される側）に保護カバー（以降、保護カバー１５との混同をさけるために「スピーカカバー」と呼ぶ）が設けられている種類（図１２）では、保護カバー９２とスピーカカバー８２ａ間が距離ｄ２となる。
【手続補正書】
【提出日】平成21年9月8日(2009.9.8)
【手続補正１】
【補正対象書類名】特許請求の範囲
【補正対象項目名】全文
【補正方法】変更
【補正の内容】
【特許請求の範囲】
【請求項１】
穴が１つ以上、設けられた筐体から内側に向けて防水保護カバー、及び音響部品が配置された携帯電話装置において、
前記防水保護カバーに、前記音響部品からの音響エネルギーを透過させる音響透過部分を有し、
前記音響透過部分の面積は、ａｘ＋ｂ
ここで、ｘ：前記音響部品の最大音響出力
ａ：９９より大きく１１４未満の係数
ｂ：８４より大きく９１未満の定数
以上であることを特徴とする携帯電話装置。
【請求項２】
前記音響部品の最大音響出力は、０．１Ｗ以上０．８Ｗ以下である、
ことを特徴とする請求項１に記載の携帯電話装置。
【請求項３】
前記音響透過部分の中央部と、前記音響部品側で該中央部と最も近い位置に存在する部材との間の第１の距離、及び該中央部と、該筐体側で該中央部と最も近い位置に存在する部材との間の第２の距離のうちの少なくとも一方の距離は、ｃｘ＋ｅ
ここで、ｘ：前記音響部品の最大音響出力
ｃ：０．４より大きく０．５未満の係数
ｅ：０．２より大きく０．２５未満の定数
の関係を満たしている、
ことを特徴とする請求項１または請求項２に記載の携帯電話装置。
【請求項４】
前記防水保護カバーは、気体透過特性を示すガーレーナンバーが１〜１０秒の防水保護カバーである、
ことを特徴とする請求項１から請求項３のいずれかに記載の携帯電話装置。
【請求項５】
前記音響部品はスピーカである、
ことを特徴とする請求項１から請求項４のいずれかに記載の携帯電話装置。
【請求項６】
穴が１つ以上、設けられた筐体から内側に向けて防水保護カバー、及び音響部品が配置された携帯電話装置において、
前記防水保護カバーに、前記音響部品からの音響エネルギーを透過させる音響透過部分を有し、
前記音響透過部分の中央部と、前記音響部品側で該中央部と最も近い位置に存在する部材との間の第１の距離、及び該中央部と、該筐体で該中央部と最も近い位置に存在する部材との間の第２の距離のうち少なくとも一方の距離は、ｃｘ＋ｅ
ここで、ｘ：前記音響部品の最大音響出力
ｃ：０．４より大きく０．５未満の係数
ｅ：０．２より大きく０．２５未満の定数
の関係を満たしている、
ことを特徴とする携帯電話装置。
【請求項７】
前記音響部品の最大音響出力は、０．１Ｗ以上０．８Ｗ以下である、
ことを特徴とする請求項６に記載の携帯電話装置。
【請求項８】
前記防水保護カバーは、気体透過特性を示すガーレーナンバーが１〜１０秒の防水保護カバーである、
ことを特徴とする請求項７に記載の携帯電話装置。
【請求項９】
穴が１つ以上、設けられた筐体から内側に向けて防水保護カバー、及び音響部品が配置された携帯機器において、
前記防水保護カバーに、前記音響部品からの音響エネルギーを透過させる音響透過部分を確保し、
前記音響透過部分の面積は、ａｘ＋ｂ
ここで、ｘ：前記音響部品の最大音響出力、
ａ：９９より大きく１１４未満の係数
ｂ：８４より大きく９１未満の定数
以上であることを特徴とする携帯機器。
【請求項１０】
前記音響部品の最大音響出力は、０．１Ｗ以上０．８Ｗ以下である、
ことを特徴とする請求項９に記載の携帯機器。
【請求項１１】
前記音響透過部分の中央部と、前記音響部品側で該中央部と最も近い位置に存在する部材との間の第１の距離、及び該中央部と、該筐体側で該中央部と最も近い位置に存在する部材との間の第２の距離のうちの少なくとも一方の距離は、ｃｘ＋ｅ
ここで、ｘ：前記音響部品の最大音響出力
ｃ：０．４より大きく０．５未満の係数
ｅ：０．２より大きく０．２５未満の定数
の関係を満たしている、
ことを特徴とする請求項９または請求項１０に記載の携帯機器。
【請求項１２】
前記防水保護カバーは、気体透過特性を示すガーレーナンバーが１〜１０秒の防水保護カバーである、
ことを特徴とする請求項９から請求項１１のいずれかに記載の携帯機器。
【請求項１３】
穴が１つ以上、設けられた筐体から内側に向けて防水保護カバー、及び音響部品が配置された携帯機器において、
前記防水保護カバーに、前記音響部品からの音響エネルギーを透過させる音響透過部分を確保し、
前記音響透過部分の中央部と、前記音響部品側で該中央部と最も近い位置に存在する部材との間の第１の距離、及び該中央部と、該筐体側で該中央部と最も近い位置に存在する部材との間の第２の距離のうちの少なくとも一方の距離は、ｃｘ＋ｅ
ここで、ｘ：前記音響部品の最大音響出力
ｃ：０．４より大きく０．５未満の係数
ｅ：０．２より大きく０．２５未満の定数
の関係を満たしている、
ことを特徴とする携帯機器。
【手続補正２】
【補正対象書類名】明細書
【補正対象項目名】０００７
【補正方法】変更
【補正の内容】
【０００７】
本発明は、望ましい音響特性を実現しつつ、音響部品をよりコンパクトに携帯機器に配置するための技術を提供することを目的とする。
本発明の第１及び第２の態様の携帯電話装置（携帯機器）は共に、穴が１つ以上、設けられた筐体から内側に向けて防水保護カバー、及び音響部品が配置されていることを前提とし、それぞれ以下の構成が採用されている。
【手続補正３】
【補正対象書類名】明細書
【補正対象項目名】０００８
【補正方法】変更
【補正の内容】
【０００８】
第１の態様の携帯電話装置は、防水保護カバーに、音響部品からの音響エネルギーを透過させる音響透過部分を有し、音響透過部分の面積は、ａｘ＋ｂ
ここで、ｘ：前記音響部品の最大音響出力
ａ：９９より大きく１１４未満の係数
ｂ：８４より大きく９１未満の定数
以上である関係を満たしている。
【手続補正４】
【補正対象書類名】明細書
【補正対象項目名】０００９
【補正方法】変更
【補正の内容】
【０００９】
第２の態様の携帯電話装置は、防水保護カバーに、前記音響部品からの音響エネルギーを透過させる音響透過部分を有し、音響透過部分の中央部と、音響部品側で該中央部と最も近い位置に存在する部材との間の第１の距離、及び該中央部と、該筐体で該中央部と最も近い位置に存在する部材との間の第２の距離のうち少なくとも一方の距離は、ｃｘ＋ｅ
ここで、ｘ：前記音響部品の最大音響出力
ｃ：０．４より大きく０．５未満の係数
ｅ：０．２より大きく０．２５未満の定数
の関係を満たしている。
【手続補正５】
【補正対象書類名】明細書
【補正対象項目名】００１０
【補正方法】変更
【補正の内容】
【００１０】
なお、上記第１或いは第２の態様では、音響部品の最大音響出力は、０．１Ｗ以上０．８Ｗ以下である、ことが望ましい。また、防水保護カバーは、気体透過特性を示すガーレーナンバーが１〜１０秒の防水保護カバーであることが望ましい。音響部品はスピーカである、ことが望ましい。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【国際調査報告】
2008041328.tif 000017
2008041328.tif 000018
2008041328.tif 000019
2008041328.tif 000020